(57)【特許請求の範囲】
【請求項１】
中央浮体（１）と、システムの運動を、空気圧エネルギー、電気エネルギー、または、液圧エネルギーに変換するための、前記中央浮体（１）に提供されあるいは前記中央浮体（１）の内部に提供された手段（２３、４７）と、前記エネルギーを陸地または構造物へ伝達するための手段（２６）とを含む、海の波からエネルギーを複合的に取り出しかつ相補的に変換するためのシステムであって、
前記中央浮体（１）がそれに沿って移動する垂直ガイド構造体（１２）と、
前記中央浮体（１）によって支持され、かつ、前記垂直ガイド構造体（１２）に沿って移動することのできる、それの下部ベースが開いている水面下にある内部に捕捉空気（５）を有するタンク（４）と、
前記浮体（１）の運動を前記水面下にあるタンク（４）に伝達するための手段（１０、１１）とを含み、
浮体（１）およびタンク（４）が、水面下にあるタンク（４）の運動が中央浮体（１）の運動と反対方向になるように配置され、
中央浮体（１）の運動および水面下にあるタンク（４）の運動が、運動伝達手段（９、２４、３２、３５、４２、４３、４４、４５）を介して、運動を空気圧エネルギー、電気エネルギー、または、液圧エネルギーに変換するための前記手段（２３、４７）に伝達される、
システム。
【請求項２】
前記システムが、前記垂直ガイド構造体（１２）に取り付けられた０．５ｇ／ｃｃの密度を有する少なくとも１つの周辺浮体（２８）を含む、請求項１に記載のシステム。
【請求項３】
前記中央浮体（１）が、加圧された空気（３１）を備えた容器（３０）を含み、少なくとも１つの空気圧アクチュエータが、前記容器の内部に取り付けられ、前記アクチュエータが、水面下にあるタンク（４）に接続された上部室（４８）と、それのベースが開いており、かつ、前記容器（３０）の圧力下において空気（３１）に通じている下部室（４９）とを備えた、請求項１に記載のシステム。
【請求項４】
少なくとも１つの空気圧アクチュエータが、シリンダ（４０）である、請求項３に記載のシステム。
【請求項５】
前記運動伝達手段が、線形運動を回転運動に変換する回転インバータ（９、４２）と、変速装置（４４）と、はずみ車（２４、４５）とを含む、請求項１に記載のシステム。
【請求項６】
前記運動伝達手段が、ラック歯車（３２）をさらに含み、前記ラック歯車（３２）のそれぞれの側面が、２つの歯車（３５）と噛み合う、請求項５に記載のシステム。
【請求項７】
前記少なくとも１つの空気圧シリンダ（４０）のピストンロッド（５０）が、移動プラットホーム（４１）を駆動するための手段を含み、前記プラットホーム（４１）が、中央浮体（１）の上部容器（２９）に配置され、かつ、プラットホーム（４１）上で回転するように取り付けられた歯車（３５）を備えたラック歯車（３２）が前記プラットホーム（４１）を貫通する、請求項４および６に記載のシステム。
【請求項８】
運動をエネルギーに変換するための手段が、少なくとも１つの発電機（４７）、少なくとも１つの空気ポンプ（２３）、または、少なくとも１つの液圧ポンプを備えた、請求項１に記載のシステム。
【請求項９】
前記システムが、浮体（１）の運動を水面下にあるタンク（４）に伝達するための手段（１０、１１）およびラック歯車（３２）を少なくとも収容する伸縮自在の管（３６）を含む、請求項６に記載のシステム。
【請求項１０】
前記システムが、複数のモジュールを含み、そのモジュールのそれぞれが、中央浮体（１）および中央浮体（１）に取り付けられた水面下にある捕捉空気（５）タンク（４）を有する、請求項１に記載のシステム。
【請求項１１】
前記中央浮体（１）が、それの内部に捕捉空気（７）を含む空洞を有する、請求項１に記載のシステム。
【請求項１２】
前記システムが、傾斜式取付構造体（１６）によって前記中央浮体（１）に取り付けられた複数の周辺浮体（２ａ、２ｂ、２ｃ）を含む、請求項１に記載のシステム。
【請求項１３】
運動をエネルギーに変換するための前記手段が、前記傾斜式取付構造体（１６）によって駆動される複数の空気圧シリンダ（１７ａ、１７ｂ、１７ｃ、２１ａ、２１ｂ）をさらに含む、請求項１２に記載のシステム。
【請求項１４】
前記周辺浮体（２ａ、２ｂ、２ｃ）が、それぞれ、中央浮体（１）のシリンダ（１７ａ、１７ｂ、１７ｃ）の１つからの空気を圧縮する２つの周辺空気圧シリンダ（２１ａ、２１ｂ）を含み、中央浮体（１）のそれぞれのシリンダ（１７ａ、１７ｂ、１７ｃ）の傾斜式構造体（１６）が、一端を前記シリンダ（１７）のロッドに、そして、他端をレバー（２０）に関節式に連結されたバー（１９）を含み、そして、そのレバー（２０）の端部が、周辺空気圧シリンダ（２１ａ、２１ｂ）ロッドの端部に関節式に連結され、前記バー（１９）上の２つの関節点間の距離が、波の山と谷との間の距離に実質的に等しい、請求項１２および１３に記載のシステム。
【請求項１５】
２つの周辺空気圧シリンダ（２１ａ、２１ｂ）の一方が、他方の周辺空気圧シリンダからの空気を圧縮する、請求項１４に記載のシステム。
【請求項１６】
中央浮体（１）のそれぞれの空気圧シリンダ（１７ａ、１７ｂ、１７ｃ）および対応する２つの周辺空気圧シリンダ（２１ａ、２１ｂ）が、三段空気ポンプを構成する、請求項１５に記載のシステム。
【請求項１７】
前記システムによって生成された圧縮空気が、それぞれの前記周辺浮体（２ａ、２ｂ、２ｃ）の室に収容される、請求項８および１５に記載のシステム。
【請求項１８】
前記システムが、得られた液圧エネルギーを脱塩された水に直接に変換するためのいくつかの逆浸透膜をさらに含む、請求項８に記載のシステム。
【発明の詳細な説明】
【技術分野】
【０００１】
本発明は、海の波からエネルギーを複合的に取り出しかつ相補的に変換するためのシステムに関する。
【背景技術】
【０００２】
海底にアンカーまたはバラストで固定された浮体に作用する浮力を利用することによって海の波からエネルギーを生成するためのシステムが、この技術分野において知られている。浮力の作用によって浮体がなす仕事行程が、エネルギーを得るのに使用される。
【０００３】
しかしながら、浮力によってエネルギーを取り出すそのような簡単なシステムは、電力を取り出すのに使用される行程が仕事を実行するのに貢献する行程を比例的に減少させるという欠点を有する。したがって、浮力発電機の容量は、常に、浮体の寸法、波高、および、波周波数／分によって制限される。
【０００４】
浮力を利用するエネルギー取り出しシステムは、クリーンであり、かつ、単純であるが、必要とされる寸法および取り出すことのできる小さなエネルギーを考えれば、あまり競争力のないシステムである。これらは、設備を採算がとれるものにする場合、エネルギーの取り出しおよび変換を大幅に増大させることを必要とする技術である。
【０００５】
また、海底にバラストまたはアンカーで固定された少なくとも１つの浮体と、浮体の垂直運動を空気圧エネルギー、電気エネルギー、または、液圧エネルギーに変換するための手段とを含む上述したようなシステムが、知られている。
【０００６】
しかしながら、そのようなシステムは、波、すなわち、浮力とも呼ばれるスラストによる力に含まれる自然力のほんの一部しか取り出さず、また、ほんの一部しか変換しないという欠点を有する。
【０００７】
さらに、浮力の代わりに、海の波によって発生する水柱の変化によってもたらされる自然力を利用した海の波からエネルギーを生成するためのシステムが、知られている。しかしながら、そのようなシステムは、この場合もまた、海の波に含まれるエネルギーを部分的にしか取り出さないという欠点を有する。
【０００８】
海の波によって発生する水柱の変化によってもたらされる浮力および自然力の両方を利用した海の波からエネルギーを生成するためのシステムは、まだ知られていない。
【発明の開示】
【発明が解決しようとする課題】
【０００９】
本発明の目的は、海の波からエネルギーを複合的に取り出しかつ相補的に変換するためのシステムを開発することによって、上述した欠点を取り除くことであり、そのシステムは、浮力を利用することに加えて、海の波によって発生する水柱の変化によってもたらされる力も利用する。
【課題を解決するための手段】
【００１０】
この目的に基づいて、本発明のシステムは、そのシステムが、前記中央浮体がそれに沿って移動する垂直ガイド構造体と、前記浮体によって支持されかつ前記垂直ガイド構造体に沿って移動することのできるそれの下部ベースが開いている水面下にある捕捉空気タンクと、前記浮体の運動を前記水面下にあるタンクに伝達するための手段とを含み、浮体およびタンクが、水面下にあるタンクの運動が浮体の運動と反対方向になるように配置され、中央浮体の運動および水面下にあるタンクの運動が、運動伝達手段を介して、運動を空気圧エネルギー、電気エネルギー、または、液圧エネルギーに変換する前記手段に伝達されることを特徴とする。
【００１１】
これらの特徴のおかげで、システムは、高いエネルギー利用効率を有する。なぜなら、システムは、海の波に含まれるエネルギーのようなエネルギー再生可能資源に存在するほとんどのエネルギーを低コストでうまく取り出すことができるからである。システムは、エネルギーの複合的な取り出しおよび相補的な変換を可能にする。
【００１２】
エネルギーの複合的な取り出しは、波自身のスラストと水面下にあるタンクの捕捉空気に作用する水柱の圧力とによるものである。エネルギーの相補的な変換は、中央浮体と水面下にあるタンクとに加えられる相補的な作用によるものである。
【００１３】
本発明によれば、システムは、前記垂直ガイド構造体に取り付けられた０．５ｇ／ｃｃの密度を有する少なくとも１つの周辺浮体を含み、その周辺浮体は、質量と、システムの振動動作によって発生するスラスト変動とを相殺する。好ましくは、前記少なくとも１つの周辺浮体は、垂直ガイド構造体を取り囲むリング形状を有する。
【００１４】
前記周辺浮体のために、ガイド構造体の垂直方向位置を達成することができ、それは、波の運動に関係せず、かつ、波の運動によって影響されることはなく、また、中央浮体の浮力および水面下にあるタンク内の捕捉空気に作用する水柱の変化による圧力変動によって発生する力の両方を最適かつ有効に利用することができる。
【発明を実施するための最良の形態】
【００１５】
本発明の好ましい実施形態によれば、前記中央浮体は、好ましくは、加圧された空気を備えた容器を含み、少なくとも１つの空気圧アクチュエータが、前記容器の内部に取り付けられ、前記アクチュエータが、水面下にあるタンクに接続された上部室と、それのベースが開いており、かつ、前記容器の圧力下において空気に通じている下部室とを備える。
【００１６】
少なくとも１つの空気圧アクチュエータは、好ましくは、シリンダである。
【００１７】
この特徴のおかげで、実質的に浮体の上昇行程または下降行程の開始点から発生する小さな水柱変動は、空気圧アクチュエータまたは空気圧シリンダの上部室と水面下にある空気タンクとの間の空気量の交換をもたらす。これらの圧力変化および空気量交換は、浮力を相補する力を発生させ、実質的に浮体の仕事行程の開始点から最大強度でもって作用する。
【００１８】
好ましくは、前記運動伝達手段は、回転インバータと、乗算装置と、変速装置と、はずみ車とを含む。
【００１９】
本発明の好ましい実施形態によれば、前記運動伝達手段は、ラック歯車をさらに含み、前記ラック歯車のそれぞれの側面は、２つの歯車と噛み合い、その２つの歯車は、浮体の運動を前記回転インバータに伝達する。
【００２０】
有利には、前記少なくとも１つの空気圧シリンダのピストンロッドは、移動プラットホームを駆動するための手段を含み、前記プラットホームは、中央浮体の上部容器に配置され、かつ、プラットホーム上で回転するように取り付けられた歯車を備えたラック歯車が前記プラットホームを貫通する。
【００２１】
これらの特徴のおかげで、シリンダの上部室と水面下にあるタンクとの間の空気量の交換によって生成される力は、ラック歯車が貫通する移動プラットホームを駆動するために、中央浮体シリンダ自身によって使用される。プラットホームの駆動は、伝達点を変化させ、したがって、中央浮体の仕事行程運動が、拡張され、その結果として、システムのエネルギー変換が、それによって相補される。
【００２２】
好ましくは、運動をエネルギーに変換するための前記手段は、少なくとも１つの発電機、少なくとも１つの空気ポンプ、または、少なくとも１つの液圧ポンプを備える。
【００２３】
また、好ましくは、システムは、浮体の運動を水面下にあるタンクに伝達するための手段およびラック歯車を少なくとも収容する伸縮自在の管を含む。
【００２４】
これらの伸縮自在の管のおかげで、それらの内部に収容された上述の部品は、海水の直接作用から保護される。
【００２５】
本発明によれば、システムは、複数のモジュールを含み、そのモジュールのそれぞれは、中央浮体およびその中央浮体に取り付けられた水面下にある捕捉空気タンクを有する。
【００２６】
モジュール式の設計は、浮力ユニットまたはモジュールの列を組み立てるのを可能にする。
【００２７】
好ましくは、前記列のそれぞれは、その列を構成する様々なモジュールの垂直ガイド構造体をその上端においてお互いに連結する構造体を含む。有利には、前記上部構造体は、モジュールごとに伝達エレメントを含む水密のモジュール式コンパートメントを含み、そして、その伝達エレメントは、歯車および回転インバータを含む。また、好ましくは、それぞれの前記モジュールのラック歯車は、それぞれのモジュールの中央浮体のプラットホームに取り付けられ、そして、アレイに含まれる前記上部構造体の対応する水密コンパートメントに配置された歯車と噛み合うのに十分な長さを有する。有利には、それぞれの列は、すべてのモジュールに共通のバラスト、前記バラスト上に配置されたスイベル係留装置に接続された単一のバラスト鎖またはバラストケーブル、エネルギーを陸地へ送るための単一の伝達ケーブルを含む。
【００２８】
モジュール式の設計の上述したこれらの特徴のおかげで、それぞれの列の上部構造は、列のそれぞれの浮力ユニットまたはモジュールによって取り出された力を受け取る共通伝達シャフトを有する。この共通シャフトは、取り出された力を乗算装置、変速装置、はずみ車、そして、最終的に、一台のエネルギー変換装置へ伝達し、すべてのこれらの伝達手段および装置は、列の上部構造体上に配置される。
【００２９】
好ましい実施形態によれば、前記中央浮体は、それの内部に捕捉空気を含む空洞を有する。
【００３０】
中央浮体がその内部に捕捉空気空洞を有するという事実のおかげで、何らかの垂直運動は、空気量の変化をもたらす。この変化は、方向変化点において、波の質量のスラストを取り出しかつ解放する力に加算される力となり、それによって、前記中央浮体によってなされる仕事行程を増加させる。さらに、前記捕捉空気の量の変化をもたらす力は、水面下にあるタンクのスラストまたは重量とは逆の方向に作用することによって、波行程運動の終了点において、中央浮体の方向転換を助ける。
【００３１】
本発明の別の好ましい実施形態によれば、システムは、傾斜式取付構造体によって前記中央浮体に取り付けられた複数の周辺浮体を含む。
【００３２】
これらの周辺浮体の存在は、中央浮体と周辺浮体との間に加えられる相補的な作用のために、システムの相補的なエネルギー変換を助ける。
【００３３】
有利には、運動をエネルギーに変換するための前記手段は、前記傾斜式取付構造体によって駆動されるいくつかの空気圧シリンダをさらに含む。
【００３４】
好ましくは、前記周辺浮体は、それぞれ、中央浮体のシリンダの１つからの空気を圧縮する２つの周辺空気圧シリンダを含み、それぞれの浮体シリンダの傾斜式構造体は、一端を前記シリンダのロッドに、そして、他端をレバーに関節式に連結されたバーを含み、そして、そのレバーの端部は、周辺空気圧シリンダロッドの端部に関節式に連結され、前記バー上の２つの関節点間の距離は、波の山と谷との間の距離に実質的に等しい。
【００３５】
有利には、２つの周辺空気圧シリンダの一方は、他方の周辺空気圧シリンダからの空気を圧縮する。
【００３６】
有利には、中央浮体のそれぞれの空気圧シリンダおよび対応する２つの周辺空気圧シリンダが、三段線形空気ポンプを構成する。
【００３７】
好ましくは、システムによって生成された圧縮空気は、それぞれの前記周辺浮体の室に収容される。
【００３８】
あるいは、システムは、得られた液圧エネルギーを脱塩された水に直接に変換するためのいくつかの逆浸透膜をさらに含む。
【００３９】
説明されるすべてのことをよりよく理解するために、いくつかの図面が、添付され、それらの図面は、概略的に、かつ、限定するものではない単なる例として、２つの実際の実施形態を示すものである。
【実施例１】
【００４０】
図１、図１ａ、図２、図３、および、図４は、海の波からエネルギーを複合的に取り出しかつ相補的に変換するための本発明によるシステムの第１の実施形態を示し、そのシステムは、中央浮体１と、前記浮体１に取り付けられた３つの周辺浮体２ａ、２ｂ、２ｃと、同様に前記中央浮体１に取り付けられかつ海水６が入るのを可能にするためにそれの下部が開いている捕捉空気５のための水面下にあるタンク４とを含む。
【００４１】
中央浮体１は、もう一方の半球体と部分的に一体化された円筒形リングから構成され、それは、捕捉空気７および海水６をその内部に含む空洞をそれらの両方の本体が形成するような形でなされる。この空洞の内部は、半球体と部分的に一体化された水密の楕円体８を収容する。水密の楕円体８は、その他の構成要素もあるが、とりわけ、回転インバータ機構９をその内部に有し、その回転インバータ機構９は、滑車１０に取り付けられた２つのベルト、鎖、または、ケーブル１１に係合する２つの滑車または歯車を備え、それらの向かい合った端部において、水面下にあるタンク４を支持する。中央浮体１および水面下にあるタンク４の両方は、管状の鋼、炭素繊維、または、ガラス繊維からなる長方形構造体１２に沿って垂直に移動する。両方の浮体は、ベルト、鎖、または、ケーブル１１と滑車１０とを介して、動的に連結される。長方形構造体１２の上部ベースは、音響的信号灯および視覚的信号灯を有し、構造体は、それの下部を、海底に設置されたコンクリート構造体１３にアンカーで固定される。前記垂直ガイド構造体１２は、横方向の移動を防止するために、中央浮体１および水面下にあるタンク４を整列した状態に維持する。
【００４２】
長方形構造体１２は、海の異常な状態下でしか動作しない二重アンカーシステムを構成する鎖１４および滑車１５によって、海底に設置されたコンクリート構造体１３にアンカーで固定され、それによって、システムは、高さが１４メートルを超える波に耐えることができる。
【００４３】
３つの周辺浮体２ａ、２ｂ、２ｃは、鋼からなる傾斜式構造体１６によって中央浮体１に取り付けられる。中央浮体１の中心と、周辺浮体２ａ、２ｂ、２ｃに取り付けられた傾斜式構造体１６の端部との間の距離は、海の与えられた場所における波の谷と山との間の公称寸法に一致する。
【００４４】
中央浮体１は、圧縮空気を生成するための３つの空気圧シリンダ１７ａ、１７ｂ、１７ｃを有し、それらの空気圧シリンダは、大気圧における空気取入口１８を含む。これらのシリンダのそれぞれは、傾斜式構造体１６によって周辺浮体２ａ、２ｂ、２ｃに取り付けられる。この構造体１６は、バー１９を含み、そのバー１９は、一端において、中央浮体１の空気圧シリンダ１７のロッドに関節式に連結され、他端において、レバー２０に関節式に連結され、そして、そのレバー２０の端部は、２つの周辺空気圧シリンダ２１ａ、２１ｂのロッドの端部に関節式に連結される。これらの周辺空気圧シリンダ２１ａ、２１ｂは、それぞれの周辺浮体２ａ、２ｂ、２ｃの内部に取り付けられる。
【００４５】
中央浮体１および周辺浮体２ａ、２ｂ、２ｃの両方のシリンダは、これらの浮体が海の波の作用によってなす循環運動を伝達する傾斜式構造体１６によって駆動される。
【００４６】
周辺空気圧シリンダ２１ａ、２１ｂは、中央浮体１の半球体に配置されたそれぞれのシリンダ１７のダクト２２から伝達される圧力によって、空気を圧縮する。中央浮体のシリンダおよび周辺浮体２ａ、２ｂ、２ｃのシリンダは、取り出されたエネルギーを周辺浮体２ａ、２ｂ、２ｃ自身に収容される加圧空気に変換する三段線形空気ポンプを構成する。
【００４７】
また、中央浮体１は、それの水密楕円体８の内部に、三段ロータリー空気ポンプ２３を有する。このポンプ２３は、はずみ車２４および変速装置を介して回転インバータ機構９によって駆動され、その変速装置は、滑車１０およびベルト、鎖、または、ケーブル１１とともに、海の波の作用のために中央浮体１および水面下にあるタンク４によって生成される垂直循環運動を伝達する。また、ロータリー空気ポンプ２３による圧縮空気は、ダクト２５を介して、周辺浮体２ａ、２ｂ、２ｃ内に収容される。
【００４８】
周辺浮体２ａ、２ｂ、２ｃ内に蓄積された加圧空気は、沿岸地帯に配置された圧縮空気蓄積タンクへ加圧空気を導くダクト２６を介して、陸地または固定構造物に取り出される。
【００４９】
海の波からエネルギーを生成するための本発明のシステムは、エネルギーを複合的に取り出しかつ相補的に変換するためのシステムである。
【００５０】
複合的な取り出しは、波自身のスラストと、水面下にあるタンク４および浮体１内の捕捉空気に作用する水柱圧力のスラストとを取り出すことによるものである。エネルギーの相補的な変換は、
・  中央浮体１と水面下にあるタンク４と、
・  中央浮体１と周辺浮体２ａ、２ｂ、２ｃと、
・  本体が含む捕捉空気７のために中央浮体１自身、
に加えられる相補的な作用によるものである。
【００５１】
中央浮体１と水面下にあるタンク４との間の相補的な作用は、捕捉空気５が経験する水柱の変化のためにタンクが含む捕捉空気５の圧力が変化することによって、発生する。
【００５２】
図１、図２、および、図３に示されるように、中央浮体１は、海の波のエネルギーによって駆動されてそれが移動するとき、その運動を滑車１０およびベルト、鎖、または、ケーブル１１を介して水面下にあるタンク４に伝達する。水面下にあるタンク４は、中央浮体１の運動とは逆の方向へ移動するので、中央浮体１が波によって上へ駆動されると、水面下にあるタンク４は、下へ移動し、海面から遠ざかる。水面下にあるタンク４が経験する行程は、中央浮体１の行程と同じであるが、波のスラストによってタンクが得る水柱は、常に、浮体１がなす行程の２倍であることを重視しなければならない。
【００５３】
水面下にあるタンク４は、海面から遠ざかるように移動し、タンク４が耐える水柱は、増大するので、水６が、タンク４に入り、そのタンク４は、重量が増加し、タンク４の内部に含まれる捕捉空気５を圧縮する。中央浮体１に作用する波のスラストが、減少すれば、捕捉空気５は、膨張しようとするので、水６は、水面下にあるタンク４から抜けだし、タンク４は、海面のより近くに移動し、スラストが、得られる。
【００５４】
タンク４が移動するときにタンク４が耐えるより大きなまたはより小さな水柱による空気５の量の変化によってもたらされる水面下にあるタンク４内の捕捉空気５の膨張および収縮は、滑車１０およびベルト、鎖、または、ケーブル１１を介して中央浮体１に伝達される力（タンクの重量およびタンクのスラスト）を発生させる。これらの力は、浮力の作用のために、中央浮体１のスラストまたは重量に加算され、それらの作用を相補し、取り出される力と仕事行程運動の効率とを増大させる。
【００５５】
中央浮体１が、波のスラストを受け取り、上方への行程を開始すると、水面下にあるタンク４は、それの下方への行程を開始し、それに対応して、水６が入る。大きな波スラストは、水面下にあるタンク４の重量増加によって達成され、そのために、行程の終了点において、波のスラスト力または浮力が、最小となれば、タンク４の重量は、その位置において、それの最大値となり、そして、スラストがタンク４の重量によって相補されるような形で、作用する。他方においては、波スラストが、減少し、浮体１が、それの下方への行程を開始すると、水面下にあるタンク４は、圧縮された捕捉空気５の膨張のために水６が出ることによって達成されるそれの上方への行程を開始する。小さな波スラストは、水面下にあるタンク４の大きなスラストによって達成され（タンク４の中の水６が圧縮された空気５の膨張によって空になるからである）、そのために、この行程の終了点において、波スラストの減少が、最小となれば、タンク４のスラストは、その位置において、それの最大値となり、そして、作用し、そのために、中央浮体１のスラストは、タンク４のスラストによって相補される。
【００５６】
中央浮体１および水面下にあるタンク４の両方は、お互いに妨害するのではなく、それらのそれぞれの垂直行程運動の中間および終了点において、お互いに助長しかつ相補し、浮体１のスラストまたは浮力が、水面下にあるタンク４の付加的なスラストまたは重量に加算される。これによって、８〜１０個の波／分の周期を備えた高さ１．５０ｍの波からかなりのエネルギーを取り出すことができる。
【００５７】
浮体１のスラストおよび重量は、波の垂直方向の上昇行程運動および下降行程運動の中間において、それらの最大の浮力強度となり、水面下にあるタンク４の重量およびスラストは、同じ方向に作用するが、中間においては、強度がゼロとなり（スラストと重量とが相殺される）、終了点においては、強度が最大となる。したがって、浮体１と水面下にあるタンク４との浮力作用が、お互いに交互に現れ、それは、波の行程全体を通して力の強度を維持しようとするものである。
【００５８】
中央浮体１と周辺浮体２ａ、２ｂ、２ｃとの相補的作用は、
・  周辺浮体２ａ、２ｂ、２ｃを中央浮体１と連結する傾斜式構造体の独特な配置、
・  中央浮体１に対する周辺浮体２ａ、２ｂ、２ｃのより小さな質量および慣性、
・  それぞれの垂直運動において中央浮体１に伝達される周辺浮体２ａ、２ｂ、２ｃ自身によって生成されるスラストまたは浮力および重力の同時作用、
によってもたらされる。
【００５９】
周辺浮体２ａ、２ｂ、２ｃの傾斜は、スラストおよび重力の作用が両方の浮体に同時に発生するような形で、波の波長に等しい所定の距離だけ中央浮体１から離れるようにうまく構成されている。
【００６０】
波および圧力によって発生するスラストのために中央浮体１がなす垂直運動は、周辺浮体２ａ、２ｂ、２ｃを同じ方向に同じように引っ張る。しかしながら、それらのより小さな質量および慣性のために、これらの浮体は、まず最初に、それぞれの方向変化点において、スラストおよび重力に応答する。したがって、それらを中央浮体１に取り付ける傾斜式連結構造体１６は、結果として得られるスラストまたは浮力を中央浮体１のそれぞれのシリンダ１７に伝達し、方向または垂直行程のそれぞれの変化点において、そのシリンダ１７を駆動し、圧縮空気を生成する。
【００６１】
さらに、周辺浮体２ａ、２ｂ、２ｃは、海の波動運動のために、また、海の波の波長に一致するそれらの寸法のために、振動運動をなす。したがって、それらの端部は、波の山および／または谷と交互に一致する。バー１９およびレバー２０に取り付けられた周辺浮体２ａ、２ｂ、２ｃの傾斜は、それぞれの周辺浮体２ａ、２ｂ、２ｃの２つのシリンダ２１ａ、２１ｂに水平に伝達され、それらのシリンダ２１ａ、２１ｂは、中央浮体１のそれぞれのシリンダ１７からの圧縮空気を圧縮する。上述したように、中央浮体１のシリンダおよび周辺浮体２ａ、２ｂ、２ｃのシリンダは、取り出されたエネルギーを加圧空気に変換する三段線形空気ポンプを構成する。それぞれの周辺浮体２ａ、２ｂ、２ｃのシリンダは、接続ダクト２７によって接続される。
【００６２】
それぞれの段における空気圧を２倍にするために、それぞれのシリンダの表面積は、先行するシリンダの表面積の半分に減少させられており、そのために、同一の吸気口および圧縮ストロークを維持することができる。したがって、第１の段（シリンダ１７ａ、１７ｂ、１７ｃ）の吸気口における大気圧または１ｋｇ／ｃｍ２から開始し、そして、それぞれのトルクを超える力が、加えられると、圧力は、第２の段（それぞれの周辺浮体のシリンダ２１ａ）において、２ｋｇ／ｃｍ２まで増加し、第３の最終段（それぞれの周辺浮体のシリンダ２１ｂ）において、４ｋｇ／ｃｍ２まで増加する。
【００６３】
システムの別の相補的作用は、それが、浮体１の空洞内の捕捉空気７からもたらされることである。浮体１の空洞内の捕捉空気７は、全体の浮遊過程または中立平衡過程において、大気圧である。しかしながら、海水６が空洞に入ることを考えると、浮体１のあらゆる垂直運動が空気７の量に変化をもたらし、それは、上昇においては正圧となり、下降においては負圧となり、それが、中央浮体１のドームの内部カバーに作用することがわかる。捕捉空気７は、空洞自身に収容された水によってそれが吸い込まれ（下降中）あるいは圧力を加えられると（上昇中）、中央浮体１の空洞内において膨張または収縮する。捕捉空気７によって発生する力は、取り出される力を増加させ、方向変化点において、スラストおよび質量を軽減し、したがって、中央浮体１によってなされる仕事行程を増加させることになる。さらに、捕捉空気７が中央浮体１にもたらす力は、水面下にあるタンクのスラストおよび質量とは逆の方向に作用することによって、行程運動の終了点において、水面下にあるタンク４の負の力を克服しかつそれに打ち勝つのを助ける。すなわち、それらの力は、中央浮体１の方向転換を助ける。
【実施例２】
【００６４】
図５〜図９は、本発明によるシステムの第２の好ましい実施形態を示し、そのシステムは、中央浮体１と、垂直ガイド構造体１２に取り付けられた円形リングの形態を有する周辺浮体２８と、前記浮体１に取り付けられかつ海水６が入るのを可能にするためにそれの下部が開いている捕捉空気５を含む水面下にあるリング状のタンク４とを含む。
【００６５】
中央浮体１は、２つの水密の容器２９、３０からなり、その一方は、円錐台状の上部容器２９であり、他方は、予め設定された圧力で空気３１を含む円筒形の下部容器３０である。容器２９、３０の両方には、ケーブル３３およびテンショナー３４によって垂直ガイド構造体１２に縦方向にしっかりと取り付けられたラック歯車３２が、貫通する。ラック歯車３２は、それの側面のそれぞれが、２つの歯車３５と噛み合い、その歯車３５は、前記ラック歯車３２の長さ全体にわたる浮体１の運動を、独特の仕事トルクを備えた２つのシャフトの回転運動に変換する。
【００６６】
水面下にあるタンク４は、滑車１０および接続ケーブルまたは接続鎖１１を介して、浮体１に動的に取り付けられ、そのために、その両方は、波の力の作用によって、垂直ガイド構造体１２に沿って垂直に移動し、かつ、お互いに反対の方向へ移動する。
【００６７】
ラック歯車３２は、それを構造体１２にしっかりと取り付けるケーブル３３およびテンショナー３４とともに、また、浮体１および水面下にあるタンク４の接続ケーブルまたは接続鎖１１とともに、それらを海水の直接作用から保護する伸縮自在の管３６の内部に配置される。また、システムの滑車１０、１５は、それらを海水の作用から保護するために、本体３７の内部に取り付けられる。前記本体３７は、垂直ガイド構造体１２の下部ベースに配置された補償板に取り付けられ、その補償板は、仕事力の動的アンカーの役割をなし、それぞれの方向変化点において、縦方向のラック歯車３２の位置を維持する。
【００６８】
説明されるこの好ましい実施形態の周辺浮体２８は、ガイド構造体１２の重量だけでなく、水面下にあるタンク４および中央浮体１によってガイド構造体１２自身に加えられる力を相殺するように設計された０．５ｇ／ｃｃの密度を有するフロートである。したがって、ガイド構造体１２の固定された垂直方向の位置が、達成され、それは、波の運動およびスラストから保護され、かつ、波の運動およびスラストに影響されず、中央浮体１に作用する浮力および水柱の変化によって水面下にあるタンク４の捕捉空気５にもたらされる力の両方を最適かつ有効に利用する。
【００６９】
水面下にあるタンク４の構造は、好ましくは、空気室３９を備えるように設計され、その空気室３９の役割は、水面下にあるタンク４構造体自身の重量を相殺することであり、それによって、前記構造体の重量の影響は、全体として、皆無である。この構成は、水面下にあるタンク４によって生成される力が中央浮体１に最適かつ有効に伝達されるという結果をもたらす。
【００７０】
中央浮体１の水密の下部容器３０は、４つの空気圧シリンダ４０を含み、その空気圧シリンダ４０は、浮体１自身の水密の上部容器２９に配置された移動プラットホーム４１を駆動する。浮体１の運動を伝達するための手段およびその運動をエネルギーに変換するための手段は、プラットホーム４１上に取り付けられる。
【００７１】
浮体１の運動をエネルギー変換手段に機械的に伝達することは、縦方向に配置されたラック歯車３２に噛み合わされた４つの歯車３５によって実行され、その４つの歯車３５は、浮体１の直線運動を２つのシャフトの回転運動に変換する。そして、その回転運動は、単方向出力を備えた回転インバータ４２に伝達され、その回転インバータ４２は、単一駆動シャフトの運動および仕事力を乗算装置に伝達し、その乗算装置の出力は、変速装置４４によって調節され、はずみ車４５に伝達される。説明される好ましい実施形態においては、駆動シャフトの運動は、最終的には、２つのシャフト４６に伝達され、そして、その２つのシャフト４６は、２つの発電機４７を駆動する。しかしながら、図示しない別の好ましい実施形態においては、駆動シャフトの運動は、空気圧エネルギー圧縮機、海水を淡水化するための逆浸透膜装置、または、例えば、水素製造装置を駆動するのに使用されてもよい。
【００７２】
これまでの段落において説明されたエネルギーを機械的に伝達するための手段は、高さが１．５〜４．５メートルで周波数が５．５〜７／分の波によってシステムがうまく動作するように設計され、この動作範囲において、９００〜１５００ｒ．ｐ．ｍ．の駆動シャフト回転速度が、得られる。
【００７３】
水密の下部容器内に配置された空気圧シリンダ４０は、それぞれ、２つの室４８、４９を含み、その一方は、上部室４８であり、他方は、下部室４９であり、シリンダ４０のピストン５０によって分離される。上部室４８は、柔軟性のある管５１を介して、水面下にあるタンク４の捕捉空気５に接続され、その管５１は、管を巻き取りかつ繰り出すのを可能にする円形ガイドを備えた車輪５２上に配置される。シリンダ４０の上部室４８内に存在する空気５の圧力は、水面下にあるタンク４内の捕捉空気５の圧力に等しい。なぜなら、両方の構成要素は、柔軟性のある管５１によって接続されているからである。シリンダ４０の下部室４９は、それのベースが開いており、そのために、浮体１の水密の下部容器３０の自由空間内に含まれる空気３１の圧力にさらされる。
【００７４】
穏やかな状態の海においては、図７に示されるように、水密の下部容器３０の自由空間内に含まれる空気３１の圧力は、水面下にあるタンク内の空気５の圧力に等しい。この位置においては、プラットホーム４１は、それの行程の中間点にあり、２つの室４８、４９を分離するそれぞれのシリンダ４０のピストン５０は、それの中間位置にある。なぜなら、２つの室４８、４９内の空気圧は、同じであるからである。
【００７５】
説明される好ましい実施形態においては、空気圧シリンダ４０は、水面下にあるタンク４内の捕捉空気５の量の交換器の役割をなし、そのために、何らかの垂直運動は、シリンダ４０の上部室４８および水面下にあるタンク４内の空気５の量に変化をもたらす。
【００７６】
図６〜図９に示される好ましい実施形態によるエネルギーの相補的な変換は、
・  中央浮体１と水面下にあるタンク４と、
・  空気圧シリンダ４０が駆動可能なプラットホーム４１に加える作用のために中央浮体１自身、
に加えられる相補的な作用によるものである。
【００７７】
中央浮体１と水面下にあるタンク４との間の相補的な作用は、タンク４が耐える水柱６の変化のために空気圧シリンダ４０の上部室４８内に存在する捕捉空気５の量と水面下にあるタンク４内に存在する捕捉空気５の量とを交換することからもたらされる。
【００７８】
図６は、中央浮体１が海面から遠ざかり、かつ、水面下にあるタンク４が耐える水柱６が増加し始めたとき、水が、どのようにしてタンクに入り、かつ、そのタンクが含む捕捉空気５が、柔軟性のある管５１を介して、空気圧シリンダ４０の上部室４８へどのようにして移されるかを示す。他方において、図８に示されるように、中央浮体１に作用する波のスラストが、減少し始めると、また、水面下にあるタンク４が耐える水柱６が、減少し始めると、水は、タンクから出るので、空気圧シリンダ４０の上部室４８内の空気５が、柔軟性のある管５１を介して、水面下にあるタンク４へ移される。
【００７９】
水面下にあるタンク４が移動するときにそのタンクが耐える水柱６の変化によってもたらされる空気圧シリンダ４０の上部室４８と水面下にあるタンク４との間における圧力変化および空気５の量の交換は、力（タンクの重量およびタンクのスラスト）を発生させ、その力は、実質的に浮体１の仕事行程の開始点から最大強度の力でもって滑車１０および鎖またはケーブル１１を介して中央浮体１へ伝達される。
【００８０】
さらに、説明される好ましい実施形態においては、浮体１の上昇行程または下降行程がまさに開始したばかりのときに発生する水柱６のわずかな変動は、シリンダ４０の上部室４８と水面下にあるタンク４との間で空気５の量の交換をもたらし、それが、力（タンクの重量およびタンクのスラスト）に変換され、その力は、実質的に中央浮体１の仕事行程の開始点から最大強度の力でもって作用する。これらの力は、浮力の作用のために、また、それらの効果が相補されることによって、実質的に行程の開始点から最大強度の力でもって中央浮体１のスラストおよび重量に加算され、それらは、さらに、行程運動の終了点における中央浮体１の循環の方向転換を加速する。
【００８１】
図５〜図９に示されるシステムの好ましい実施形態において観察されるその他の相補的な作用は、中央浮体１自身からもたらされ、また、移動プラットホーム４１に対する空気圧シリンダ４０の作用によるものである。
【００８２】
中央浮体１が、波のスラストのためにそれの上昇行程を開始すれば、水面下にあるタンク４が耐える水柱６は、増加し、水柱６の圧力は、タンク４内にある空気５の量を空気圧シリンダ４０の上部室４８へ移させる。したがって、シリンダ４０の上部室４８内にある空気５の圧力は、増加し、それらのシリンダ４０のピストン５０を下方へ駆動し、それによって、移動プラットホーム４１を駆動し、その移動プラットホーム４１は、それの上昇行程を実行する。プラットホーム４１の上昇運動は、プラットホーム４１自身の上に配置された伝達システムの歯車３５に伝達され、その歯車３５は、ラック歯車３２に噛み合わされ、その結果として、浮力のために中央浮体１自身によってなされる仕事行程に加算される仕事行程をもたらす。
【００８３】
波の力が、減少し、かつ、浮体１が、それの下降行程を開始すれば、水面下にあるタンク４が耐える水柱６は、減少し、その水柱６の圧力を減少させ、空気圧シリンダ４０の上部室４８内にある空気５の量を水面下にあるタンク４へ移す。したがって、シリンダ４０の上部室４８内にある空気５の圧力は、下部室４９の空気圧５と比較すれば、減少し、その下部室４９は、それらのベースが開いているために、中央浮体１の下部容器３０の空気圧と同じ予め設定された空気圧３１を有する。したがって、前記室４８と室４９との圧力差は、ピストンを上方へ駆動し、それによって、プラットホーム４１を駆動し、そのプラットホーム４１は、それの下降行程を実行する。プラットホーム４１の下降運動は、ラック歯車３２と噛み合わされた歯車３５に伝達され、その結果として、浮力のために中央浮体１自身によって実行される仕事行程に加算される仕事行程をもたらす。
【００８４】
空気圧シリンダ４０の上部室４８と水面下にあるタンク４との間における圧力の変化および空気５の量の交換によって生成される力は、中央浮体１の運動の伝達機構が配置された移動プラットホーム４１を駆動するために、中央浮体１のシリンダ４０自身によって使用され、そのために、浮体１の仕事行程運動が、拡張され、その結果として、システムのエネルギー変換が、それによって相補される。
【図面の簡単な説明】
【００８５】
【図１】穏やかな状態の海における本発明によるシステムの第１の好ましい実施形態の正面断面図である。
【図１ａ】浮体の詳細断面図である。
【図２】波の山の位置における本発明によるシステムの第１の好ましい実施形態の正面断面図である。
【図３】波の谷の位置における本発明によるシステムの第１の好ましい実施形態の正面断面図である。
【図４】本発明によるシステムの第１の好ましい実施形態の上部の概略断面図である。
【図５】本発明によるシステムの第２の好ましい実施形態の正面断面図である。
【図６】波の山の位置における本発明によるシステムの第２の好ましい実施形態の一部分を示す正面断面図である。
【図７】穏やかな状態の海における本発明によるシステムの第２の好ましい実施形態の一部分を示す正面断面図である。
【図７ａ】図７に示される断面図の中央浮体の詳細図である。
【図８】波の谷の位置における本発明によるシステムの第２の好ましい実施形態の一部分を示す正面断面図である。
【図９】浮体の上部水密容器の移動プラットホーム上に配置された本発明によるシステムの第２の好ましい実施形態の機械的伝達手段およびエネルギー変換手段を示す概略図である。
【図１】
0004620040.tif 000002
【図１ａ】
0004620040.tif 000003
【図２】
0004620040.tif 000004
【図３】
0004620040.tif 000005
【図４】
0004620040.tif 000006
【図５】
0004620040.tif 000007
【図６】
0004620040.tif 000008
【図７】
0004620040.tif 000009
【図７ａ】
0004620040.tif 000010
【図８】
0004620040.tif 000011
【図９】
0004620040.tif 000012